(57)【要約】【課題】視聴者が時間情報を取得するチャンネルを任意に設定できる容易な手段を備え、各チャンネルが正確な時間情報を有するかどうかを確認しながらチャンネルを設定することができるディジタル放送／アナログ放送受信装置を提供する。【解決手段】時間情報取得チャンネル設定画面１００は、チャンネル番号表示ウィンドウ１０１と、スキャン状況表示ウィンドウ１０２と、コマンドウィンドウ１０３とから構成されており、チャンネル番号表示ウィンドウ１０１には、チャンネル番号とともに、各チャンネル番号のチャンネル時間情報が表示されている。視聴者は、チャンネル番号とチャンネル時間情報とを見ながら、カーソル１１５を操作し、装置内時間情報を更新するためのチャンネルを選択する。【選択図】　図４
2004080677.tif 000002
【特許請求の範囲】
【請求項１】
ディジタル放送信号とアナログ放送信号とをそれぞれ受信し、選択されたチャンネルの放送信号に含まれるチャンネル時間情報に基づいて、装置本体の時間制御手段でカウントされる装置内時間情報を更新する制御手段を備えたディジタル放送／アナログ放送受信装置において、
前記制御手段は、受信可能なチャンネルに含まれる各チャンネル時間情報を検出し、前記受信可能なチャンネルを表示し、前記チャンネル時間情報を含むチャンネルを他のチャンネルと異なる表示を行う第１のチャンネル一覧と、前記チャンネル時間情報が含まれるチャンネルのみを表示する第２のチャンネル一覧とを生成し、
さらには、前記第１のチャンネル一覧に、各チャンネルがディジタル放送であるかアナログ放送であるかを表示させるか、
または、取得した各チャンネル時間情報を、Ｄ．Ｓ．Ｔ．および地域時差情報に基づいて補正した後に、前記第１のチャンネル一覧もしくはチャンネル時間情報を単独で表示する表示欄に表示させ、
前記第１のチャンネル一覧から選択されたチャンネルのチャンネル時間情報に基づいて前記装置内時間情報を更新することを特徴とするディジタル放送／アナログ放送受信装置。
【請求項２】
ディジタル放送信号とアナログ放送信号とをそれぞれ受信し、選択されたチャンネルの放送信号に含まれるチャンネル時間情報に基づいて、装置本体の時間制御手段でカウントされる装置内時間情報を更新する制御手段を備えたディジタル放送／アナログ放送受信装置において、
前記制御手段は、受信可能なチャンネルに含まれる各チャンネル時間情報を検出し、前記受信可能なチャンネルを表示し、前記チャンネル時間情報を含むチャンネルを他のチャンネルと異なる表示を行う第１のチャンネル一覧を生成して出力するとともに、
前記第１のチャンネル一覧で選択されたチャンネルのチャンネル時間情報に基づいて前記装置内時間情報を更新することを特徴とするディジタル放送／アナログ放送受信装置。
【請求項３】
前記制御手段は、前記チャンネル時間情報が含まれるチャンネルのみを表示する第２のチャンネル一覧を生成して出力する請求項２に記載のディジタル放送／アナログ放送受信装置。
【請求項４】
前記制御手段は、前記第１のチャンネル一覧に、各チャンネルがディジタル放送であるかアナログ放送であるかを表示させて出力する請求項２または請求項３に記載のディジタル放送／アナログ放送受信装置。
【請求項５】
前記制御手段は、前記第１のチャンネル一覧に、取得した各チャンネル時間情報を表示させて出力する請求項２または請求項３に記載のディジタル放送／アナログ放送受信装置。
【請求項６】
前記制御手段は、前記第１のチャンネル一覧で選択されたチャンネルのチャンネル時間情報を単独で表示するチャンネル時間表示欄を生成し出力する請求項２〜４のいずれかに記載のディジタル放送／アナログ放送受信装置。
【請求項７】
前記制御手段は、表示される前記チャンネル時間情報を、Ｄ．Ｓ．Ｔ．および地域時差情報に基づいて補正する請求項５または請求項６に記載のディジタル放送／アナログ放送受信装置。
【発明の詳細な説明】
【０００１】
【発明の属する技術分野】
この発明は、ディジタル放送信号およびアナログ放送信号を受信して、映像信号および音声信号を出力するディジタル放送／アナログ放送受信装置、特に、受信したチャンネルのチャンネル時間情報に基づいて、装置本体の装置内時間情報を更新するディジタル放送／アナログ放送受信装置に関するものである。
【０００２】
【従来の技術】
ディジタル放送／アナログ放送受信装置は、ディジタル放送信号を受信する回路と、アナログ放送信号を受信する回路を具備しており、選択されたチャンネルがディジタル放送ならば、ディジタル放送用回路を用いて、ディジタル放送信号を変換し、アナログ方式の映像信号、音声信号を出力する。一方、選択されたチャンネルがアナログ放送ならば、アナログ放送信号用回路を用いて、アナログ方式の映像信号、音声信号を出力する。
【０００３】
このようなディジタル放送／アナログ放送受信装置には、装置本体内の時間情報を制御する時間制御手段であるＲＴＣが具備されており、この装置内時間情報に基づいて、予め設定しておいた時間に電源がＯＮする自動スイッチＯＮ機能や、予め設定しておいた時間に電源がＯＦＦする自動スイッチＯＦＦ機能等のタイマー機能が作動する。
【０００４】
しかしながら、装置本体に具備されたＲＴＣは、正確に時間を計時することができず、１日当たり数秒の誤差を発生するＲＴＣも存在する。このため、ディジタル放送／アナログ放送受信装置は、受信するディジタル放送信号またはアナログ放送信号に挿入された時間情報（チャンネル時間情報）を取得し、ＲＴＣの時間情報（装置内時間情報）を更新している。
【０００５】
ここで、北米の地上波放送では、ディジタル放送信号は、規格Ａ６５に準じてＰＳＩＰ情報（トランスポートストリームの多重化の為の番組情報とシステム情報）でＧＰＳ形式の時間情報と、ＧＰＳ時間とＵＴＣ時間との差分値とを配信している。ディジタル放送／アナログ放送受信装置は、ＧＰＳ形式の時間情報をＵＴＣ形式の時間情報に変換して、ＲＴＣの装置内時間情報を更新する。また、アナログ放送信号は、ＥＩＡ−６０８規定に準じて、映像信号の２１番目の走査線（ＬＩＮＥ２１）でＵＴＣ形式の時間情報を配信している。ディジタル放送／アナログ放送受信装置は、このＵＴＣ形式の時間情報を取得して、ＲＴＣの時間情報を更新する。
【０００６】
【発明が解決しようとする課題】
ところが、ディジタル放送／アナログ放送受信装置が受信できるディジタル放送およびアナログ放送の中には、全く時間情報を含んでいないチャンネルや、テストストリームなどで、本来の時間とは全く異なる時間を時間情報として配信しているチャンネルなどが存在する。
【０００７】
ディジタル放送／アナログ放送受信装置は、受信したチャンネルのチャンネル時間情報に基づいてＲＴＣの時間情報を更新するため、選択されたチャンネルが、正確な時間ではない時間情報を含んでいると、この不正確な時間情報でＲＴＣの時間情報を更新してしまう。このため、視聴者が動作してほしい時間と、実際に装置本体とが動作する時間とが異なってしまう。
【０００８】
例えば、ＥＰＧ等で視聴予約や録画予約を行った場合、ＲＴＣの時間情報が本来の時間と異なることにより、前記視聴予約および録画予約が視聴者の思い通りに行われなくなってしまう。
【０００９】
また、従来のディジタル放送／アナログ放送受信装置では、時間情報を取得するチャンネルを視聴者が選択する場合にも、選択されたチャンネル番号が表示されるだけなので、このチャンネルが正確な時間情報を含んでいるかどうかがわからず、時間情報設定チャンネルを容易に選択することができない。
【００１０】
従来からディジタル放送／アナログ放送受信装置は種々提案されており、▲１▼特開平５−３２８３２２号公報、および▲２▼特開平１１−２７５９８号公報に開示された技術等がある。しかしながら、前述の問題を解決する方法は何ら開示されていない。
【００１１】
この発明の目的は、視聴者が時間情報を取得するチャンネルを任意に設定できる容易な手段を備え、各チャンネルが正確な時間情報を有するかどうかを確認しながらチャンネルを設定することができるディジタル放送／アナログ放送受信装置を提供することにある。
【００１２】
【課題を解決するための手段】
この発明に示すディジタル放送／アナログ放送受信装置は、受信可能なチャンネルに含まれる各チャンネル時間情報を検出し、受信可能なチャンネルを表示する第１のチャンネル一覧と、チャンネル時間情報が含まれるチャンネルのみを表示する第２のチャンネル一覧とを生成して出力するとともに、第１のチャンネル一覧におけるチャンネル時間情報を含むチャンネルを他のチャンネルと異ならせて表示し、第１のチャンネル一覧から選択されたチャンネルのチャンネル時間情報に基づいて装置内時間情報を更新することを特徴としている。
【００１３】
この構成では、視聴者は、受信できるチャンネルの全てを容易に確認することができるとともに、装置内時間情報を更新するためのチャンネルを容易に確認することができる。
【００１４】
また、視聴者は、チャンネル時間情報を含んでいるチャンネルを容易に識別することができるので、装置内時間情報を更新するチャンネルに、チャンネル時間情報が含まれるチャンネルを選択することが容易になる。
【００１５】
また、この発明に示すディジタル放送／アナログ放送受信装置は、第１のチャンネル一覧に、各チャンネルがディジタル放送であるかアナログ放送であるかを表示することを特徴としている。
【００１６】
この構成では、視聴者は、選択するチャンネルがディジタル放送であるのかアナログ放送であるのか等の放送状況を容易に識別することができ、自分の好みの放送形式からチャンネル時間情報を得ることができる。
【００１７】
また、この発明に示すディジタル放送／アナログ放送受信装置は、第１のチャンネル一覧に、取得した各チャンネル時間情報を表示することを特徴としている。また、この発明に示すディジタル放送／アナログ放送受信装置は、第１のチャンネル一覧で選択されたチャンネルのチャンネル時間情報を単独で表示するチャンネル時間表示欄を生成し出力することを特徴としている。
【００１８】
これらの構成では、視聴者は、選択するチャンネルのチャンネル時間情報を容易に認識し、選択するチャンネルが正確な時間情報を備えていることを認識できる。
【００１９】
この発明に示すディジタル放送／アナログ放送受信装置は、表示されるチャンネル時間情報を、Ｄ．Ｓ．Ｔ．および地域時差情報に基づいて補正した後に表示することを特徴としている。
【００２０】
この構成では、視聴者は、視聴する地域によらず、正確な時間情報を得ることができる。
【００２１】
【発明の実施の形態】
本発明の実施形態に係るディジタル放送／アナログ放送受信装置について、図を参照して説明する。
【００２２】
図１は、本発明の実施形態に係るディジタル放送／アナログ放送受信装置の主要部を示すブロック図である。
【００２３】
ディジタル放送／アナログ放送受信装置１０は、チューナ２、デコーダ３、ＯＳＤ回路４、操作手段７、ＣＰＵ１、ＣＰＵ１に接続するメモリ５およびＲＴＣ６から構成される。チューナ２は、ディジタル放送信号受信部とアナログ放送信号受信部とを備えており、ディジタル放送信号とアナログ放送信号とを同時に受信することができる。また、デコーダ３は、ディジタルデコーダ部とアナログデコーダ部とを備えており、選択されたチャンネルがディジタル放送ならば、ディジタル放送信号をディジタルデコーダ部でデコードし、選択されたチャンネルがアナログ放送ならば、アナログ放送信号をアナログデコード部でデコードする。
【００２４】
視聴者がリモコン等の操作手段７を用いて所望の番組が放送されているチャンネルを選択すると、この選択信号が操作手段７からＣＰＵ１に伝送され、ＣＰＵ１は該当チャンネルを抽出するようにチューナ２を制御する。選択されたチャンネルがディジタル放送の場合、チューナ２は、選択番組を放送しているチャンネルのディジタル放送信号（アンテナ２０で受信）を抽出し、選択されたチャンネルがアナログ放送の場合、チューナ２は、選択番組を放送しているチャンネルのアナログ放送信号（アンテナ２０で受信）を抽出してデコーダ３に出力する。デコーダ３は入力されたディジタル放送信号またはアナログ放送信号をデコードする。デコーダ３で、ディジタル放送信号およびアナログ放送信号をデコードして得られた映像信号と音声信号とはＯＳＤ回路４を介し、表示装置３０に出力される。
【００２５】
ここで、画面に時刻を表示させる場合、ＣＰＵ１はＲＴＣ６から、装置内時間情報を取得して時刻画像信号を生成し、ＯＳＤ回路４に出力して映像信号に合成する。
【００２６】
また、タイマー機能を作動させる場合、ＣＰＵ１はＲＴＣ６で計時されている時刻（装置内時間情報）に基づいて、予め設定された時刻にタイマー機能を作動させる。
【００２７】
次に、ＲＴＣの装置内時間情報の調整（更新）方法について説明する。
【００２８】
図２は、時間情報取得チャンネル決定画面の構成例を示す図である。
【００２９】
ＲＴＣの装置内時間情報は、予め他の画面で設定しておいた時刻または時間間隔で自動的に調整されており、設定時刻になると、図２に示す画面を用いて設定したチャンネルの放送信号を受信し、チャンネル時間情報を取得する。
【００３０】
ここで、設定されたチャンネルがディジタル放送信号（ＡＴＳＣ方式）であれば、トランスポートストリームに含まれるＰＳＩＰ情報からＧＰＳ形式の時間情報と、ＧＰＳ形式の時間情報とＵＴＣ形式の時間情報の差分値を取得し、これらに基づいてＵＴＣ形式の時間情報を算出する。次に、Ｄ．Ｓ．Ｔ．の補正情報と地域時差情報とに基づいて、ＵＴＣ形式の時間情報を補正する。こうして得られたチャンネル時間情報をＲＴＣの時間情報（装置内時間情報）として更新する。
【００３１】
また、設定されたチャンネルがアナログ放送信号（ＮＴＳＣ方式）であれば、アナログ放送信号のＬＩＮＥ２１からＵＴＣ形式の時間情報を取得し、Ｄ．Ｓ．Ｔ．の補正情報と地域時差情報とを用いてＵＴＣ形式時間情報を補正する。こうして得られた時間情報をＲＴＣの時間情報（装置内時間情報）として更新する。
【００３２】
図２に示すように、時間情報取得チャンネル設定画面１００は、本装置が現在受信し得るチャンネル番号を表示するチャンネル番号表示ウィンドウ１０１と、チャンネル時間情報を備えているチャンネルのスキャン状況を表示するスキャン状況表示ウィンドウ１０２と、コマンド一覧を示すコマンドウィンドウ１０３とで構成されている。
【００３３】
これらの画像はメモリ５に記憶されており、視聴者が操作手段７を用いて、時間情報を更新する設定を行うと、ＣＰＵ１はこの操作命令を受信し、メモリ５から時間情報取得チャンネル設定画像を読み出し、映像信号から切り替えて表示装置に出力する。
【００３４】
チャンネル番号表示ウィンドウ１０１には、現在、番組が放送されているかどうかに関わらず、仕様として本装置が受信することができるチャンネルのチャンネル番号の全てと、「ＯＦＦ」が表示されている。また、チャンネル番号表示ウィンドウ１０１の下に現在表示しているチャンネル番号よりも大きいチャンネル番号のチャンネルが存在することを示す矢印１１１が表示される。この矢印１１１を選択することで、現在表示されているチャンネル番号の次に大きいチャンネル番号がチャンネル表示ウィンドウ１０１に表示される。なお、図２では、最も小さいチャンネル番号から５つのチャンネルを表示しているので、矢印１１１のみが表示されている。しかし、矢印１１１を操作し、大きなチャンネル番号（例えば、「９，１０，１１，１２，１３，１４」）が表示されている場合、チャンネル番号表示ウィンドウ１０１の上に矢印１１２が表示される。そして、矢印１１２を選択すると表示されるチャンネル番号は小さくなる。
【００３５】
また、チャンネル番号表示ウィンドウ１０１において、チャンネル時間情報を備えたチャンネルが検出されると、このチャンネルのチャンネル番号は、他のチャンネル番号と異なる表示がされる。例えば、チャンネル時間情報を備えたチャンネルのみ点滅させるとか、異なる色で表示させる。
【００３６】
また、チャンネル番号表示ウィンドウ１０１には、カーソル１１５が表示されており、このカーソル１１５を移動させることで、選択するチャンネルが変更される。
【００３７】
スキャン状況表示ウィンドウ１０２は、スキャン実行中のメッセージを表示する表示部１２０と、スキャン終了のメッセージを表示する表示部１２１と、現在のスキャン状況を表示するスキャン状況表示部１２２とから構成される。
【００３８】
スキャン状況表示部１２２は、ＣＰＵ１が現在スキャンしているチャンネル番号と、スキャンした結果に基づいて、チャンネル時間情報を備えているチャンネル番号とを表示しており、スキャン中のチャンネル番号は、他のチャンネル番号と異なる表示がされている。例えば、図２に示すように、スキャン中のチャンネル番号のみ反転表示を行う。さらに、現在スキャン中であれば、表示部１２０にスキャン中を示すメッセージが表示され、全てのチャンネルのスキャンが終了すると、表示部１２１にスキャン終了のメッセージが表示される。
【００３９】
視聴者は時間情報取得チャンネル設定画面１００を見ながら、操作手段７を操作して、表示されているチャンネル番号を選択すると、選択されたチャンネルのチャンネル時間情報が、前述の設定時刻に取得されるように設定される。設定内容はメモリ５に記憶され、ＣＰＵ１は設定時刻にチャンネル時間情報を取得し、ＲＴＣの装置内時間情報を更新する。
【００４０】
このような構成とすることで、視聴者は、本装置が受信することができる全てのチャンネル番号を見ることができ、これらのチャンネルからＲＴＣの装置内時間情報を更新するためのチャンネル時間情報を取得するチャンネルを、任意に選択することが容易に行える。
【００４１】
また、現時点でチャンネル時間情報を配信しているチャンネルと配信していないチャンネルとを識別することができるので、チャンネル時間情報を配信しているチャンネルを確実に選択することができる。
【００４２】
次に、時間情報取得チャンネル設定画面１００の第２の構成例（表示例）について、図３を用いて説明する。
【００４３】
図３は、時間情報取得チャンネル設定画面の第２の構成例を示す図である。
【００４４】
第２の構成例に示す時間情報取得チャンネル設定画面１００は、チャンネル番号表示ウィンドウ１０１にチャンネル番号とともに、各チャンネル番号の内容を示すチャンネル内容表示部１３０が備えられており、他の構成は図２に示した時間情報取得チャンネル設定画面と同じである。
【００４５】
チャンネル番号表示ウィンドウ１０１は、チャンネル番号と「ＯＦＦ」と、各チャンネルがディジタル放送であるかアナログ放送であるかと実際のチャンネル番号を示すチャンネル内容表示部１３０とから構成される。
【００４６】
チャンネル内容表示部１３０は、ＣＰＵ１のスキャン結果に基づいて、放送されていなければ「ＮＯＮＥ」と表示し、放送されていれば、放送形式と実際のチャンネル番号を表示する。
【００４７】
例えば、図３に示すように、チャンネル番号２は現在放送されていないので「ＮＯＮＥ」と表示され、チャンネル番号６は現在アナログ放送のチャンネル６が放送されているので、「ＮＴＳＣ　６ＣＨ」と表示される。また、チャンネル番号３は、現在ディジタル放送ＤＴＶのチャンネル２０が、チャンネル番号３を仮想チャンネルとして割り当てられて放送されているので、「ＤＴＶ　２０ＣＨ」と表示される。
【００４８】
このような構成とすることにより、視聴者は、各チャンネルの実際の放送状況を確認しながら、チャンネル時間情報を取得するチャンネルを任意に選択することができ、さらには自分の好みの放送形式のチャンネルを容易に選択することができる。
【００４９】
次に、時間情報取得チャンネル設定画面１００の第３の構成例（表示例）について、図４を用いて説明する。
【００５０】
図４は、時間情報取得チャンネル設定画面の第３の構成例を示す図である。
【００５１】
第３の構成例に示す時間情報取得チャンネル設定画面１００は、チャンネル番号表示ウィンドウ１０１にチャンネル番号とともに、各チャンネル番号のチャンネル時間情報を示すチャンネル時間情報表示部１４０が備えられており、他の構成は図２に示した時間情報取得チャンネル設定画面と同じである。
【００５２】
チャンネル時間情報表示部１４０は、ＣＰＵ１のスキャン結果に基づいて、チャンネル時間情報が取得できなければ「ＮＯＮＥ」と表示し、チャンネル時間情報が取得されていれば、そのチャンネル時間情報を表示する。
【００５３】
例えば、図４に示すように、チャンネル番号２は現在チャンネル時間情報が取得できないので「ＮＯＮＥ」と表示され、チャンネル番号３，４は現在各チャンネル時間情報が取得されているので、チャンネル３であれば、「９６／１２／１２　０：００ＡＭ」、チャンネル４であれば「０２／０６／１２　１２：３４ＡＭ」と、各チャンネル時間情報が表示される。これらの表示されるチャンネル時間情報は、前述の変換および補正を行った時間情報が表示される。
【００５４】
ここで、現在の時刻が「０２／０６／１２　１２：３４ＡＭ」であったとすると、視聴者は、チャンネル４のチャンネル時間情報が正確であることを容易に認識することができる。また、チャンネル３はテストストリームなどであり、正確な時間情報ではないことを容易に認識することができる。
【００５５】
このような構成とすることで、視聴者は、正確な時間情報が備えられているチャンネル番号を容易に認識することができるので、ＲＴＣの時間情報を更新するためのチャンネルとして、正確な時間情報を備えるチャンネルを容易に選択することができる。
【００５６】
なお、図４では、各チャンネルのチャンネル時間情報を、チャンネル番号表示ウィンドウ１０１におけるチャンネル番号の横に表示したが、図５に示すように、チャンネル番号表示ウィンドウ１０１と異なる位置に、カーソル１１５で選択されているチャンネルのチャンネル時間情報を表示するチャンネル時間情報表示ウィンドウ１０４を設け、このウィンドウ１０４でチャンネル時間情報を確認してもよい。
【００５７】
【発明の効果】
この発明に示したディジタル放送／アナログ放送受信装置によれば、視聴者は、受信できるチャンネルの全てを容易に確認し、装置内時間情報を更新するためのチャンネルを任意に選択することが容易に行えるとともに、チャンネル時間情報を含んでいるチャンネルを容易に識別することができる。これにより、視聴者は、自分の好みに応じて、装置内時間情報を更新するチャンネルに、チャンネル時間情報が含まれるチャンネルを容易に選択することができる。
【００５８】
また、この発明に示すディジタル放送／アナログ放送受信装置によれば、視聴者は、選択するチャンネルがディジタル放送であるのかアナログ放送であるのか等の放送状況を容易に識別することができるので、容易に自分の好みの放送形式のチャンネルからチャンネル時間情報を得ることができる。
【００５９】
また、この発明に示すディジタル放送／アナログ放送受信装置によれば、視聴者は、選択するチャンネルのチャンネル時間情報を容易に認識することができるので、選択するチャンネルに正確な時間情報を備えているチャンネルを設定することが容易となる。
【００６０】
また、この発明に示すディジタル放送／アナログ放送受信装置によれば、視聴者は、視聴する地域によらず、正確な時間情報を見ながら、装置内時間情報を更新するチャンネルを選択することができる。
【図面の簡単な説明】
【図１】本発明の実施形態に係るディジタル放送／アナログ放送受信装置の主要部を示すブロック図
【図２】時間情報取得チャンネル決定画面の構成例を示す図
【図３】時間情報取得チャンネル設定画面の第２の構成例を示す図
【図４】時間情報取得チャンネル設定画面の第３の構成例を示す図
【図５】時間情報取得チャンネル設定画面の第４の構成例を示す図
【符号の説明】
１０−ディジタル放送／アナログ放送受信装置
１−ＣＰＵ
２−チューナ
３−デコーダ
４−ＯＳＤ回路
５−メモリ
６−ＲＴＣ
７−操作手段
２０−アンテナ
３０−表示装置
１００−時間情報取得チャンネル設定画面
１０１−チャンネル番号表示ウィンドウ
１０２−スキャン状況表示ウィンドウ
１０３−コマンドウィンドウ
１０４−チャンネル時間情報表示ウィンドウ
１１１，１１２−矢印
１１５−カーソル
１２０，１２１−スキャン状況表示ウィンドウ１０２のメッセージを表示する表示部
１２２−スキャン状況表示ウィンドウ１０２のスキャン状況表示部
１３０−チャンネル番号表示ウィンドウ１０１のチャンネル内容表示部
１４０−チャンネル番号表示ウィンドウ１０１のチャンネル時間情報表示部
【図１】
2004080677.tif 000003
【図２】
2004080677.tif 000004
【図３】
2004080677.tif 000005
【図４】
2004080677.tif 000006
【図５】
2004080677.tif 000007